(57)【要約】  機械または装置上に光学レンズ（２００）を空圧式に固定するための支持装置において、前記光学レンズの一方の面（２０２）を受承、保持するための第１の固定手段と、前記機械または装置の対応する部材にブロックを固定するための第２の結合手段（３）とを具備する。前記固定手段は、中心穴（８）と、少なくとも１つの環状部分（９）を有したガスケット（９）を具備し、前記レンズは、前記中心穴および前記ガスケットと協働して吸引室（１１）を形成するように、前記環状部分に支持される。前記固定手段は、前記ガスケットが弾性変形した後にレンズのために剛体の着座部を提供するように設けられた当接手段（１０）を具備する。
2007513785.tif 000002
【特許請求の範囲】
【請求項１】
機械または装置上に光学レンズ（２００）を空圧式に固定するための支持装置において、
前記光学レンズの一方の面（２０２；２０１）を受承、保持するための第１の固定手段（３；２２；３３）と、
前記機械または装置の対応する部材にブロックを固定するための第２の結合手段とを具備し、
前記固定手段が、中心穴（８；２４；３４）を含み、かつ、少なくとも１つの環状部分（９；２５；３６）を有したガスケット（９；２５；３６）を備えており、
前記レンズは、前記中心穴および前記ガスケットと協働して吸引室（１１）を形成するように、前記環状部分に支持され、
前記固定手段は、前記ガスケットが弾性変形した後にレンズのために剛体の着座部を提供するように設けられた当接手段（１０；２６；４０）を具備し、
前記レンズを当接させるために、ガスケットが圧縮変形するようにしたことを特徴とする固定支持装置。
【請求項２】
前記ガスケット（９；２５；３６）が、機械的割出手段なくして、前記レンズの関連する面に対する摩擦力によってのみ、前記光学レンズの回転を防止するようにした請求項１に記載の固定支持装置。
【請求項３】
前記ガスケットの環状部分（９；２５；３６）が、ガスケットの厚さの少なくとも３倍の幅を有した平坦形状となっている請求項１または２に記載の固定支持装置。
【請求項４】
前記当接手段が、環状の支持部材（１０）を具備する請求項１〜３の何れか１項に記載の固定支持装置。
【請求項５】
前記ガスケットが環状に形成され、前記環状当接部材が、前記中心穴（８）を囲繞する円形の畝部（１０）により形成され、該畝部の外側に段差部（１２）が形成されており、該段差部に前記ガスケット（９）の内周縁部が係合し、前記段差部が前記ガスケットの厚さ（ｅ9）よりも明確に小さな深さ（ｅ12）を有している請求項４に記載の固定支持装置。
【請求項６】
前記当接手段が、３つの点状の当接部材（２６；４０）を具備し、該３つの点状の当接部材は、一直線上には配置されておらず三脚状の支持部を形成する請求項１〜３の何れか１項に記載の固定支持装置。
【請求項７】
前記ガスケット（２５）が、前記スタッドの内側または外側に溶接される外縁部または内縁部を有する請求項６に記載の固定支持装置。
【請求項８】
前記ガスケットを溶接するために、該ガスケットに形成された対応の開口部を前記３つのスタッドが貫通している請求項６に記載の固定支持装置。
【請求項９】
独立の弾性的に圧縮可能な部品であるガスケットを除く組立体の全体、特に、前記当接手段が（１０；２６；４０）が単一の剛性部品（１）から形成される請求項１〜８の何れか１項に記載の固定支持装置。
【発明の詳細な説明】
【技術分野】
【０００１】
本発明は、一般的に、眼科用レンズ、手術用レンズおよび／または対物レンズ等の光学レンズの製造に関する。本発明は、特に、こうしたレンズを表面仕上げしたり検査したりする間に該レンズを固定すること、および、この目的のために、レンズまたはレンズの半仕上がりブランクを工作機械、測定装置または検査装置に取付けるために、こうした工作機械や装置のノーズ部に固定するようにした空圧式固定支持装置に関する。
【背景技術】
【０００２】
光学レンズ、特に眼科用矯正レンズの製造工程には、特に高度の注意と精度が要求される。前記製造工程は、概括的に２つの主要な段階がある。先ず、レンズの基板を構成するために選択された合成材料や無機材料を型を用いて成形することにより、光学ブランクまたは予成形品とも称される半仕上がりのレンズを得る。次いで、成形された半仕上がりレンズの光学的に有用な主面の一方または双方を幾何学モデルおよび所定の精度を満足するように表面仕上げする。精度および表面粗さに関する厳格な要求のために、この表面仕上げ工程は、対応の作業ステーションの数に関連した複数の段階に分けられ、従って、１つのステーションから他のステーションへのレンズの移送を計画しなければならない。こうして、レンズの各面を表面仕上げするために、一般的に、異なる２つの工具を用いて荒削りと仕上削りとを行う機械加工ステーションおよび研磨ステーションが設けられ、場合によっては研磨ステーションの前に研削ステーションが設けられる。これらのステーション間およびその後流側には、例えばエッチングステーション、形状外観検査ステーションなどレンズを加工したり検査するための複数の他のステーションがある。
【０００３】
レンズの表面仕上げ工程の間に生じる１つの最も固有の問題は、各ステーションにおいて、レンズを正確によく管理された位置に組付けることである。レンズの「固定」としても知られる、この部品を何度も着脱する中間の繰り返し作業は、特に困難で費用を要し、かつ、しばしば仕上がったレンズの光学的品質を著しく低下させることがある。こうしたレンズの固定には、累積で相反する２つの制限がある。
【０００４】
第１に、うわぐすりを塗布してない透明な合成材料または無機材料から成るレンズは比較的脆弱で、２つの面のうち仕上げた面とは反対の面に作業を行う際に、特に前記仕上げた面を傷や割れから保護しなければならない。特に、合成材料の場合には損傷の危険性が顕著となる。
【０００５】
上記に加えて更に、レンズは、各ステーションの基準座標系に既知の安定した三次元方向を以て、当該ステーションに非常に正確に位置決めされなければならない。固定の幾何学的安定性に関するこの制限は、特に、プログレッシブレンズや特定個人に特化したレンズなど、円対称ではないレンズを製造する場合に、要求を満たすのが厄介で困難となる。こうしたレンズの表面仕上げには、急な斜面に作用する切削力の変化を伴い、その結果、レンズは変形し、それに関連してレンズの固定に幾何学的不安定性を招くことは理解されよう。
【０００６】
半仕上がりレンズまたはブランクを異なる作業ステーション、特に表面仕上げステーションの工作機械や測定装置に取付け、回転するために、前記半仕上がりレンズまたはブランクを「固定」するための幾つかの方法が知られている。従来よりグリップブロックまたはチャックと称される固定支持装置が用いられている。固定支持装置は、レンズの主面の一方によりレンズを受承、保持するための第１の固定手段と、レンズを工作機械または装置上に固定するように、そして、場合によってはレンズを回転駆動するように、駆動支持装置を種々の工作機械、測定装置、検査装置のノーズ部に固定するための第２の手段とを有する。
【０００７】
上述した制限を前提として、支持装置上にレンズを固定する方法に主要な問題がある。
【０００８】
幾何学的精度から現在最も広く用いられている方法は、低融点の溶融合金を鋳造、成形することによって、レンズの一方の面に金属ブロックを形成、固定することを含み、金属ブロックは、固定、支持部を構成し、種々の作業ステーションの工作機械のノーズ部に固定可能とする手段を提供する。この方法は、精度および安定性について概ね満足できるものであるが、経済性および環境面で幾つかの欠点があり、これに代わる固定手段を探さなくてはならない。使用する低融点合金は比較的高価であり、かつ、環境に危険な汚染物と見なすべきであり、経済的な理由および増大する環境上の制限のために、そのリサイクルを詳細に計画する必要がある。然しながら、効率的なリサイクルであっても、溶融する間の揮発による合金の減少を防止することはできない。更に、比較的複雑な作業およびそのコストのために、特に、上述した環境上の観点から、全行程に亘ってレンズを同じ支持装置に固定した状態を保ち、レンズと支持装置とから構成される組立体をステーションからステーションへ移送することが一般的な実務となっている。しかしながら、この組立体は比較的大きく、その取扱、移送および貯蔵の全てによって、物流上の付加的コストが発生する。更に、技術的問題のために、レンズに関連させた保持ブロックは、加工ステーションに装着できるようになる前に最小時間（約１５分）待機させなければならず、また、最大時間（約２４時間）経過すると、加工ができなくなる。こうして、これらの時間によってレンズの加工の流れが制限される。更に、２つの工程間で長時間貯蔵したり待機させたりすると、進行中のレンズの数と同等の進行中の保持ブロックを対応させると著しく費用がかかる。
【０００９】
そのために、レンズの移送、貯蔵のため或いは一層容易に移送するために、２つの工程間でレンズを最初の支持装置から取外さなければならないことがある。処理を再び開始するときには、レンズを新しい保持ブロックに取付けなければならないが、低融点合金の鋳造およびそのリサイクルに関連した問題に加えて、再び処理を開始するこうした部品を幾何学的に完全に管理すること、および、費用増加に関連した実際上の問題がある。
【００１０】
溶融金属合金の使用を回避するために、例えばワックスを用いてレンズを固定支持装置の概ね同じ曲率を有した対応の面に固着することが提案されている。然しながら、この解決方法には、溶融金属のブロックの使用と同様に、レンズの支持装置からの分離およびレンズの清掃に関連した問題を生じる。結局、レンズと支持装置との間の結合の精度および安定性が、不十分なものであることが判明している。レンズと支持装置との間の接着剤またはワックスの層の形状は、不規則に影響し、或いは、いずれにせよ制御することは難しく、表面仕上げ工程の間、表面仕上げ工具により発生する応力の効果で、この層は圧縮や捻れの変形を受ける。
【００１１】
最後に、空圧により吸引するようにしたレンズの固定システムが提案されている。このシステムは、空圧式のチャックまたは把持ブロックを用い、ある種の制御吸引カップを形成するために、環状ガスケットにより囲繞された穴を備え、該環状ガスケットに予成形品を押しつけて、前記穴およびガスケットと協働させて室を画成し、該室内に吸引力を発生させるようになっている。固定のためにレンズおよび把持ブロックの双方を収納した真空容器内に吸引力を生成したり、ブロックに形成した穴に空圧弁を介して真空ポンプを接続することにより吸引力を生成したりすることができよう。
【００１２】
この空圧式の固定による解決方法は、また、真空固定と称され、上述の鋳造したり接着剤により結合するようにした固定を含む解決方法のような経済的および環境上の欠点はない。この真空による解決方法の実施は、実際上、着脱に際して迅速かつ単純であり、化学薬品の消費も伴わない。優れた利点にも拘らず、この種の固定は殆ど用いられていない。レンズの固定について精度と安定性が、接着剤を用いる支持装置の場合の程度に至らない。この解決方法は、弾性的に圧縮されるガスケットを正確かつ安定的に押しつけることのできない複雑な表面（すなわち非球面またはトロイダル面）の場合に特に難しくなる。実際には、ガスケットの圧縮性に対する剛性を高めることは可能かもしれないが、そうすると、その摩擦係数が低下し、吸引室内の圧力を下げて支持装置からレンズに付与される吸引効果を高めない限り、レンズを回転させるときのトルクの低下を招く。然しながら、吸引効果を高めると、レンズが変形する危険性が高まる。また、トルクの伝達が不十分であると、特にレンズを回転させながら処理を行っているときに、滑る危険性がある。この滑りは、ユーザの眼の正面におけるレンズの最終的な位置決め精度を低下させて、特に、眼科用プログレッシブレンズの場合、ユーザの視覚的快適性を損なう。
【００１３】
米国特許第３７９４３１４号は、光学レンズを機械または装置上に固定するための空圧式固定支持装置を開示している。この支持装置は、光学レンズの一方の面を受承、保持するための第１の固定手段と、該固定手段を機械または装置の対応の部材に固定可能とする第２の手段とを具備する。前記固定手段は、中心穴と、少なくとも１つの環状部分を有するガスケットとを具備し、前記少なくとも１つの環状部分にレンズが押圧されて、前記中心穴およびガスケットと協働して吸引室を画成するようになっている。前記固定手段は、光学レンズのための着座部を提供するように設けられた当接手段を具備しており、前記着座部は、ガスケットが弾性変形すると剛体となるようになっている。然しながら、この支持装置では、ガスケットは曲り変形するようになっており、従ってリップシールのように作用する。
【００１４】
この構成は、上記した全ての欠点を解決するものではなく、主要な３つの欠点がある。第１に、ガスケットとレンズとの間の接触面積が制限されており、レンズはガスケットの縁部（内縁）にのみ押圧される。狭い接触面積のために、伝達可能な最大トルクが低くなり、滑る危険性は解決されずに残る。第２に、剛性と摩擦係数との間の満足できる妥協点を見出すことが容易ではない。と言うのは、曲げ変形の観点からは高い曲げ剛性を付与しなければならないが、望ましい高摩擦係数は、反対に剛性の制限されたエラストマを選択しなければならないからである。従って、適切な材料を選択しても、伝達されるトルクを高めることは困難である。第３に、特にエラストマが高い剛性を有している場合に、曲げ変形によってエラストマが急速に損傷する。
【００１５】
【特許文献１】米国特許第３７９４３１４号明細書
【発明の開示】
【発明が解決しようとする課題】
【００１６】
本発明の目的は、精度、安定性およびトルク伝達を満足するように、空圧式固定方法を改良することである。
【課題を解決するための手段】
【００１７】
この目的のために、本発明によれば、機械または装置上に光学レンズを空圧式に固定するための支持装置において、前記光学レンズの一方の面を受承、保持するための第１の固定手段と、前記機械または装置の対応する部材にブロックを固定するための第２の結合手段とを具備し、前記固定手段が、中心穴を含み、少なくとも１つの環状部分を有したガスケットを備えており、前記レンズは、前記中心穴および前記ガスケットと協働して吸引室を形成するように前記環状部分に支持され、前記固定手段は、前記ガスケットが弾性変形した後にレンズのために剛体の着座部を提供するように設けられた当接手段を具備し、前記支持装置は、前記レンズを当接させるために、ガスケットが圧縮変形するようにした固定支持装置が提供される。
【００１８】
当接手段により形成されるレンズのための前記支持装置の着座部の剛性によって、前記支持装置上のレンズの幾何学的配置の安定性と精度が確実なものとなる。従って、レンズの固定の幾何学的配置は、表面仕上げ工具によって発生する力により変化することがない。更に、当接手段によって提供される剛体の着座部は、着脱に際して、レンズの再現性ある位置決めおよび一定の幾何学的配置、或いは、少なくとも検知可能な幾何学的配置を可能とする。上記のように、この構成によれば、ガスケットの剛性を適切に選択可能となり、また、ガスケットとレンズとの間の比較的広い接触面積を得ることが可能となる。この２つのパラメータは、レンズを支持装置の剛体の当接手段に過度に押圧することなく、高いトルク伝達を得ることを促進する。これによって、固定されたレンズ（レンズは、特に合成材料から形成されている場合に表面が脆弱であることが知られている（本願の導入部分の記載を参照のこと））は、如何なる場合にも損傷することが防止され、また、機械的割出手段(indexing means)を備える必要もない。
【００１９】
本発明の有利な特徴によれば、ガスケットは、機械的割出手段(indexing means)なくして、前記要素の対応する面に対する摩擦力によってのみレンズの回転を防止する。圧縮状態で作用するガスケットと組み合わせた当接手段を設けたので、比較的柔軟で高い摩擦係数を有した材料からガスケットを形成することが可能となり、レンズを支持装置に対して過度に押圧することなく、十分なトルク伝達を得ることが可能となる。これにより、レンズに不都合な傷がつくことが防止され、また、機械的割出手段を設ける必要もなくなる。摩擦領域を増やすために、ガスケットを好ましくは、厚さの少なくとも３倍の幅を持った平坦形状にする。
【００２０】
実際上、当接手段は、環状の支持部材、或いは、一直線上には配置されず三脚状の支持部を形成する３点支持部材の形態することができる。
【００２１】
本発明の他の特徴、利点は、限定的ではない以下の３つの実施形態の説明から明らかとなる。
【発明を実施するための最良の形態】
【００２２】
図１〜５を参照する、光学レンズ２００、特にメガネのための眼科用レンズを空圧作用を用いて工作機械または測定装置（図示せず）に固定可能な支持装置の第１の実施形態が示されている。
【００２３】
該支持装置は、中心軸線１００を中心とした概ね円対称のブロック１を具備する。ブロック１は２つの主要部分、すなわち、固定すべきレンズ２００を受承するためのプレート２と、該プレートから突き出て該支持装置を工作機械または測定装置のノーズ部に固定するための結合手段３とを具備する。
【００２４】
結合手段３は、従来型の結合手段であってそれ自他当業者には周知となっており、本明細書では、その詳細な構造または作用を説明する必要はない。該手段は、図示するようにスリーブ状を呈しており、該スリーブは、２つの部分、すなわち、前記プレートに隣接させて設けられた円筒部分４と、円錐状に形成された他の部分５とを具備している。円錐部分５の先端には、インデックス欠切部６が形成されている。
【００２５】
前記支持装置は、また、レンズ２００を受承して、該レンズを表面仕上げすべき面とは反対の面を介して保持するための固定手段を有している。該固定手段は、プレート３の上面７に設けられている。図示する例では、レンズ２００は、その凸面２０１を仕上げることができるように固定され、そのために、凹面２０２によってレンズ２００を保持する必要がある。そのために、プレート２の受承面７は概ね凸状を呈し、特に概ね円錐状に形成されている。
【００２６】
固定手段は、先ず、中心穴８と、環状ガスケット９とを具備する。中心穴８は、ある種の窪みが形成されるように、プレート２の受承面７から後退させて配置されている。環状ガスケット９は、プレート３に装着され、その受承面７から突出している。
【００２７】
ガスケット９は、厚さｅ9の少なくとも３倍の大きさを有する半径方向の寸法、すなわち図４においてｌ9で示す幅を有した平坦なリング状に形成されている。図示する例では、ｌ9＝１０ｍｍ（外径６３ｍｍ、内径５３ｍｍ）、ｅ9＝１．２ｍｍである。
【００２８】
前記固定手段は、後述するように、更に、レンズ２００を受承するための安定的で正確な着座部を形成するように設けられた当接手段を具備している。より詳細には、図１〜図５に示す第１の実施形態では、当接手段は、中心軸線１００を中心とした円対称形の環状ビード部１０から成る。該環状ビード部は、中心穴８に隣接し中心軸線１００を中心とした円形の畝部により構成され、そのフランク部の頂部に形成されている。レンズ２００の面２０２が損傷することを防止するために、この畝部またはビード部に鋭いエッジが形成されず、反対に、二次曲線で連続する表面を設けることが好ましい。
【００２９】
受承面７には、前記当接ビード部の外側に段差部１２が設けられている。該段差部にガスケット９の内縁が係合し、こうして、ガスケット９を中心軸線１００の周囲に保持するハウジングが形成される。図４に一層明確に示すように、段差部１２はガスケット９の厚さｅ9よりも薄い深さｅ12を有しており、ガスケット９が受承面７からはっきりと突出するようになっている。図示する例では、ｅ12＝０．５ｍｍ、ｅ9＝１．２ｍｍである。こうして、ガスケット９は受承面７から０．７ｍｍ突出する。
【００３０】
ブロック１は、金属や硬質プラスチック材料のような硬質の材料から単一部材として成形される。ガスケット９（例えばゴムから形成される）のみが、前記ブロックに装着される独立した部品を構成する。
【００３１】
作動中、図３に示すように、レンズ２００は、中心穴８およびガスケット９と協働して吸引室１１を形成するように、先ず、その凹面２０２をガスケット９に接触させて押圧される。相対的な真空が吸引室内に形成され、吸引カップの効果によりレンズ２００が固定される。真空は、従来の方法で、固定操作のために支持装置およびレンズを収容する真空室内に形成したり、或いは、ブロック１に形成された開口部（図示せず）を通じて吸引室１１に接続され、空気弁（図示せず）を装着した真空ポンプの効果のもとで形成することができる。
【００３２】
真空度は、固定の強度と、レンズの凹面２２の光学的完全性の保護とを勘案して決定されるべきである。約−９００００Ｐａ（−０．９bar）の真空を用いた場合に良好な試験結果が得られた。
【００３３】
このようにして生成された真空の効果によって、ガスケット９は、レンズ２００の凹面２０２がビード部１０に接触するまで弾性的に圧縮される。当接着座部を形成するビード部によって、所定位置または測定可能な位置にレンズを保持する、つまり固定するための、硬質で正確で安定的なレンズ２００のための着座部が形成される。
【００３４】
ガスケット９は、凹面２０２に対する摩擦によって、機械的な割出手段なくして光学レンズ２００それ自体が回転することを防止することが理解されよう。
【００３５】
図６は、本発明の第２の実施形態を示している。図１〜図５を参照して既述した支持装置と同様に、本支持装置は、概ね円対称形のブロック２０を具備し、該ブロックは、受承プレート２１、および、共通の中心軸線を中心として設けられた結合スリーブ２２を有している。スリーブ２２は、第１の実施形態のスリーブ３と同様である。
【００３６】
受承プレート１２には、第１の例のレンズ２００のようなレンズ（図示せず）を固定するための固定手段が設けられており、該固定手段は、レンズを受承し、表面仕上げすべき面とは反対側の面と係合することにより、レンズが動くことを防止する。該固定手段は、プレート２１の上面２３に設けられている。しかしながら、図１〜図５を参照して上述した第１の実施形態とは異なり、この第２の実施形態では、レンズは、その凹面の表面仕上げの目的で固定する必要があり、その結果、レンズはその凸面で保持されないければならない。この目的のために、プレート２１の受承面２３は概ね平坦か或いは凹状となっている。
【００３７】
前記固定手段は、受承面２３から窪んだ中心穴２４と、プレート２１に装着され該プレートの受承面２３から突出する環状のガスケット２５とを具備している。ガスケット２５は、その厚さ寸法よりも非常に大きな幅を有する平坦なリング状に形成され、中心穴２４のフランク部に係合する内側円錐カラー部を有している。ガスケット２５は、受承面２３の平坦形状または凹形状に対して密着するように装着される。したがって、受承面には段差部が形成されておらず、ガスケット２５は、その全厚さを以て前記受承面から突き出ている。
【００３８】
固定手段は、更に、レンズを受承するための安定かつ正確な着座部を形成するように設けられた当接手段を具備している。該当接手段は、本例では、３つの突出スタッド部２６から形成されており、該スタッド部は一直線上には配置されておらす三脚状の支持部を形成する。３つのスタッド部２６は、ブロック２０と同じ中心を有した円周状に等間隔に、かつ、ガスケット２５の外縁部に隣接させて配置され、該ガスケットがスタッド部に溶接される。
【００３９】
３つのスタッド部２６の各々は円錐状に形成されて、かつ、レンズを損傷しないように頂部が丸くなっている。３つのスタッド部２６の頂部は、ブロック２０のスリーブ２２の中心軸に垂直な平面内に配置されている。
【００４０】
図７は、本発明による支持装置の第３の実施形態を示している。上記と同様に、図示する支持装置は、概ね回転体より成るブロック３０を具備し、該ブロックは、受承プレート３１と、共通の中心軸を有した結合スリーブ３２とを備えている。スリーブ３２は、第１の実施形態のスリーブ３と同様である。
【００４１】
受承プレート３１には、第１の例のレンズ２００のようなレンズ（図示せず）を固定するための固定手段が設けられており、該固定手段は、レンズを受承し、表面仕上げすべき面とは反対側の面によって該レンズを保持する。該固定手段は、プレート３１の上面２３に設けられている。第２の実施形態と同様で、かつ、第１の実施形態とは異なり、この第３の実施形態では、レンズは、その凹面の表面仕上げの目的で固定され、該レンズはその凸面で保持されなければならない。この目的のために、プレート３１の受承面３３は凹状となっている。
【００４２】
前記固定手段は、受承面３３から窪んだ中心穴３４と、プレート３１に装着され該プレートの受承面３３の全体を覆う環状のガスケット３５とを具備している。ガスケット３５は、複数の同心環状部分を有した容器または帽子の形状に類似した立体的なワッシャー形状を呈している。本実施形態では、４つの環状部分、すなわち受承面３３に密着する概ね円錐状の外側環状部分３６と、外側環状部分３６の頂角よりも小さな頂角を有した円錐状の中間環状部分３７と、一層小さな頂角を有し中心穴３４のフランク部に係合する内側円錐カラー部３８と、中心穴３４に押圧される中心円盤部３９とから成る。こうして、中心穴３４の底面およびフランク部の全体がガスケット３５により覆われる。
【００４３】
上述した実施形態と同様に、前記固定手段は、更に、レンズを受承するための安定かつ正確な着座部を形成するように設けられた当接手段を具備している。本実施形態では、第２の実施形態と同様に、当接手段は、３つの突出スタッド部４０から形成されており、該スタッド部は一直線上には配置されておらす、三脚状の支持部を形成する。
【００４４】
これら３つのスタッド部４０は、ブロック３０と同じ中心軸を有した円周上に等間隔に、かつ、ガスケット３５の中間環状部分３７と同じ高さに配置される。この中間環状部分は、３つのスタッド部４０を通すための３つの開口部を有しており、こうして、３つのスタッド部は、中間環状部分３７を貫通してガスケット３５から突出する。
【００４５】
３つのスタッド部４０の各々は円錐状に形成され、かつ、レンズを損傷しないように頂部が丸くなっている。３つのスタッド部４０の頂部は、ブロック３０のスリーブ３２の中心軸に垂直な平面内に配置されている。
【図面の簡単な説明】
【００４６】
【図１】本発明の第１の実施形態による空圧式固定支持装置の全体を示す分解斜視図である。
【図２】図１の支持装置を組み立てた状態で示す斜視図である。
【図３】吸引力により固定される前のレンズを配置した状態で示す、図１、２の支持装置の軸方向断面図である。
【図４】図３においてＩＶにより示す部分の拡大図である。
【図５】レンズを吸引力により固定した状態で示す図３と同様の図である。
【図６】本発明の第２の実施形態による空圧式固定支持装置の斜視図である。
【図７】本発明の第３の実施形態による空圧式固定支持装置の斜視図である。
【符号の説明】
【００４７】
１    ブロック
２    プレート
３    結合手段
７    受承面
８    中心穴
９    ガスケット
１０    環状ビード部
１１    吸引室
１２    段差部
１００    中心軸線
２００    レンズ
【図１】
2007513785.tif 000003
【図２】
2007513785.tif 000004
【図３】
2007513785.tif 000005
【図４】
2007513785.tif 000006
【図５】
2007513785.tif 000007
【図６】
2007513785.tif 000008
【図７】
2007513785.tif 000009
【国際調査報告】
2007513785.tif 000010
2007513785.tif 000011
2007513785.tif 000012
2007513785.tif 000013